(57)【特許請求の範囲】
【請求項１】
単片シート表面の所定部に、可視光線下では透明性を有し、紫外線照射下に蛍光発色する透明インキ皮膜をもって形成された、文字、数字、図形、記号、模様等の秘密情報を有してなる偽造防止用の単片シートであって、該透明インキ皮膜が、ロイコ系染料クリスタルバイオレットラクトンのマイクロカプセルを含有してなることを特徴とする偽造防止用シート。
【発明の詳細な説明】
【０００１】
【産業上の利用分野】
本発明は真贋判定可能な偽造防止用シートに関し、さらに詳しくは、銀行券、証券、金券、小切手、チケット等の証書類シートや、ＩＤカード、クレジットカード等のカード類の基材に使用されるシートであって、これらシートをカラー複写機、デジタルカラー印刷機等にて偽造、あるいは変造したとしても、簡便な方法にて容易にその変造、偽造物を発見できる偽造防止用シートに関する。
【０００２】
【従来の技術】
近年、デジタルカラー印刷機、カラー複写機の急速な性能向上により、カラー再現性、解像度、濃淡複写濃度等の調製範囲が著しく改良、拡大し、変造、偽造物を一見して識別することが困難になっている。そこで、このような偽造、変造に対する防止策の一例として、従来からシート表面に蛍光インキにより秘密情報を印刷してなる偽造防止用シートに関する技術が数々発案されている。この技術によれば、蛍光インキで印刷された該秘密情報は、可視光線下では肉眼でこれを視認することが困難であるが、該シートに紫外線（ブラックライト）照射することにより該秘密情報を蛍光させて視認可能とし、もってシートの真贋を判定できるものである。
【０００３】
【発明が解決しようとする課題】
しかしながら、このような従来の蛍光インキを利用した偽造防止用シートによれば、秘密情報の確認はブラックライトを照射すること以外に真贋の判定方法はなく、換言すれば、紫外線照射装置が設置された場所以外では真贋は判定できないし、装置が故障した場合には真贋を判定できない。
【０００４】
したがって、本発明は、このような従来のブラックライトを利用した偽造防止方法に基づき、可視光線下では秘密情報を視認することができないが、ブラックライトにより該秘密情報を蛍光させて真贋を判定できると共に、さらに、紫外線照射装置を利用しなくとも、簡便な方法で真贋を判定できる偽造防止用シートの提供を課題とするものである。
【０００５】
【課題を解決するための手段】
本発明者は、このような課題に鑑み鋭意研究した結果、感圧複写用紙の分野では従来公知のロイコ系染料クリスタルバイオレットラクトン（以後、ＣＶＬと略称する）のマイクロカプセルにおいて、従来のカプセル壁材と芯物質との構成比率、壁材の厚さ等の条件は特に変更せず、該カプセル芯物質の有機溶媒中のＣＶＬ濃度を従来の感圧複写用紙で適応される濃度（２重量％前後）よりも高めに設定し、これを本発明者らが既に開発したマイクロカプセル含有油性インキ製造技術（特開平７−２１６２７３号）、その他の技術により得られる該マイクロカプセルを分散状態で含有した透明インキを用いて、シート基材表面にそのインキ皮膜を形成すると、可視光線下、肉眼では視認困難であるが、ブラックライトによって該カプセル芯物質が蛍光し、カプセル壁膜を透してその蛍光が肉眼で確認され、総じてインキ皮膜全体が一様に蛍光して視認できることを見い出し本発明を想到した。
【０００６】
すなわち、本発明は、単片シート表面の所定部に、可視光線下では透明性を有し、紫外線照射下に蛍光発色する透明インキ皮膜をもって形成された、文字、数字、図形、記号、模様等の秘密情報を有してなる偽造防止用の単片シートであって、該透明インキ皮膜が、ロイコ系染料クリスタルバイオレットラクトンのマイクロカプセルを含有してなることを特徴とする偽造防止用シートである。
【０００７】
本発明の偽造防止用シートは、特定濃度範囲のＣＶＬを含有した有機溶媒のブラックライトに対する蛍光現象を利用したもので、感圧複写用紙の分野で公知のカプセレーション技術により製造されているＣＶＬマイクロカプセルをインキビヒクル中に分散状態で含有させてなる透明インキにて秘密情報を印刷することにより、該秘密情報は、可視光線下、肉眼では視認困難であるが、ブラックライトにより一様に蛍光する。さらに、該秘密情報部を従来から使用されている感圧複写用紙の発色シート（顕色剤塗布シート）と対接させて押圧しながら擦り付けると、ＣＶＬが顕色剤に転移して該発色シートが発色するため真贋を判定できる。
【０００８】
【発明の実施の形態】
以下、本発明の偽造防止用シートの構成について、好適な実施例に基づき詳述するが、まず、透明インキ皮膜を形成する、ＣＶＬマイクロカプセル含有インキについて、その調製方法を例示する。
【０００９】
［ＣＶＬマイクロカプセル含有インキの調製方法］
スチレン無水マレイン酸共重合体を少量の水酸化ナトリウムと共に溶解し、この溶液を５重量％含有した水溶液２００部中に、アルキルナフタレン１９４部にＣＶＬ６部を加熱溶解し、これを分散させて平均粒径１．８μｍの乳化物を得た。次いで、この乳化物にメラミン−ホルマリンプレポリマー６０部を加え、系の温度を７５℃にて２時間撹拌し、ＣＶＬマイクロカプセル５０重量％の水溶液を調製した。さらに、この水溶液８０部とグリセリン２０部、ＵＶ硬化型ワニス２０部を加え、所定の条件で真空蒸留法を併せた方法にて水分を除去しながら、さらに印刷インキ用調製剤３０部を加え、該マイクロカプセルをビヒクル中に分散せしめてＣＶＬマイクロカプセル含有インキを調製した。
【００１０】
本発明におけるＣＶＬのマイクロカプセル化方法は、例示の方法に限定されることなく、従来公知のインサイチュ法、界面縮重合法等の感圧複写用紙の分野におけるカプセル化技術によるものでよく、また、カプセル粒径、カプセル壁材の厚さ等についても従来の感圧複写用紙に用いられているものと同程度でよく、特に制限はない。しかしながら、マイクロカプセル芯物質の有機溶媒中のＣＶＬ含有濃度は、蛍光機能を十分発揮させるためには、最低２重量％は必要であって、一方、カプセル芯物質中の有機溶媒に対する飽和濃度（常温）をはるかに超えるとＣＶＬが析出して蛍光機能を効率的に引き出せない。さらに、芯物質を構成する有機溶媒へ溶解性との関係、あるいは、コスト等の関係から５重量％を超えることは好ましくない、したがって、２〜５重量％の範囲が必要であり、好ましくは、２．５〜３．５重量％、さらに好ましくは、３重量％前後である。
【００１１】
次に、ＣＶＬマイクロカプセルのインキ化調製方法に関する技術について、例示の方法は、本発明者のマイクロカプセル含有油性インキ製造技術（特開平７−２１６２７３号）によるものであるが、本発明においては、この方法に限定されることなく、従来公知のインキ化調製技術をもってしたものでも良い。ただし、秘密情報の好適な印刷性能、あるいは、ブラックライト照射時、該秘密情報を好ましく一様に蛍光させるためには、ビヒクル中のカプセル分散性の良い例示の方法が最も適している。なお、本発明における透明インキ皮膜とは、インキ自体が多少着色されている場合であっても、単片シート表面に形成されるインキ皮膜が視認困難な程度に透明性を有するものであれば良いものである。
【００１２】
以下、本発明の偽造防止用シートの実施例を約束手形とした場合につき詳述するが、ここで、図１は約束手形の概略的斜視図、図２は図１のＸ−Ｘ線断面図、図３は図１の約束手形に対してブラックライトを利用した真贋判定方法の概略的説明図、図４は図１の約束手形に対して発色シートを利用した真贋判定方法の概略的説明図、図５は図４の発色シートの顕色剤塗布面に転写された秘密情報様態の概略的説明図である。
【００１３】
先ず、図１および図２に示すように、本実施例の約束手形１は、金額欄、受取人情報欄、支払人情報欄等の所定情報Ａを有して偽造防止用とする単片シート２の表面３の所定部に、通常の印刷手段にて、先に例示したＣＶＬマイクロカプセル含有透明インキにて印刷形成された数字と記号で構成された「＃１２３＊」からなる秘密情報Ｂを施してなるものである。そして、この秘密情報Ｂは透明なインキ皮膜で構成されているため、可視光線下では、肉眼での視認は非常に困難である。
【００１４】
この約束手形１の真贋判定方法には、２種類の方法がある。すなわち、図３に示すように、約束手形１の表面３を紫外線照射装置Ｅにてブラックライト（波長３７０ｎｍ）を照射すると、秘密情報Ｂは蛍光して「＃１２３＊」が視認できるようになる。また、紫外線照射装置を利用しない場合は、図４に示すように、市販の感圧複写用紙の発色シートＳ（顕色剤塗布シート）を秘密情報Ｂに対接させながら、筆記用具Ｐの底部等で押圧しながら擦り付けることにより、図５に示すように、発色シートＳの顕色剤塗布面４には秘密情報Ｂが転写され、「＃１２３＊」の鏡像Ｂ′が発色形成される。なお、本実施例以外にあっては、秘密情報Ｂを単に矩形、円形等の単純な図形としてもよく、この場合は、単に発色シートを擦り付けて発色の有無を確認するだけでも良い。
【００１５】
【発明の効果】
以上説明したように、本発明の偽造防止用シートは、感圧複写用紙の分野で公知のカプセレーション技術により製造されているＣＶＬマイクロカプセルをインキビヒクル中に分散状態で含有させてなる透明インキにて秘密情報を印刷するため、該秘密情報は、可視光線下、肉眼では視認困難であるが、ブラックライトの照射により一様に蛍光する。さらに、該秘密情報部を従来から使用されている感圧複写用紙の発色シートと対接させて押圧しながら擦り付けると発色シートが発色するため、紫外線照射装置が設置されている場所はもとより、設置されていない場所であっても、また、装置が故障した場合であっても真贋を容易に判定できる。
【図面の簡単な説明】
【図１】  本発明の偽造防止用シートの一実施例である約束手形の概略的斜視図。
【図２】  図１のＸ−Ｘ線断面図。
【図３】  図１の約束手形に対してブラックライトを利用した真贋判定方法の概略的説明図。
【図４】  図１の約束手形に対して発色シートを利用した真贋判定方法の概略的説明図。
【図５】  図４の発色シートの顕色剤塗布面に転写された秘密情報様態の概略的説明図。
【符号の説明】
１  偽造防止用シート
２  単片シート
３  単片シート表面
Ａ  所定の情報
Ｂ  秘密情報
Ｂ′秘密情報の鏡像
Ｅ  紫外線照射装置
Ｓ  発色シート
【図１】
0003876013.tif 000002
【図２】
0003876013.tif 000003
【図３】
0003876013.tif 000004
【図４】
0003876013.tif 000005
【図５】
0003876013.tif 000006